(57)【要約】      （修正有）【課題】サポート部と同心の中心軸を中心に回転可能なリンク（第２リンク）のブームへの組立作業を容易にする。【解決手段】下部ジブ４０（ジブ）は、フレーム４１と、ジブ側ジブフット４５ｆと同心の軸を中心に回転可能にフレーム４１に連結されるとともにブームに取り付け可能な外リンク５１（第１リンク）と、ジブ側サポート部４５ｓと同心の軸を中心に回転可能にフレーム４１に連結されるとともにブームに取り付け可能な内リンク５２（第２リンク）と、位置調整保持部６０と、を備える。位置調整保持部６０は、フレーム４１と内リンク５２とを連結するとともに、フレーム４１に対する内リンク５２の位置を調整及び保持する。【選択図】図３
2014181094.tif 000002
【特許請求の範囲】
【請求項１】
ジブフットおよびサポート部を中心に回転可能にブームに取り付けられる内抱きサポート式のジブであって、
フレームと、
前記ジブフットと同心の軸を中心に回転可能に前記フレームに連結されるとともに前記ブームに取り付け可能な第１リンクと、
前記サポート部と同心の軸を中心に回転可能に前記フレームに連結されるとともに前記ブームに取り付け可能な第２リンクと、
前記フレームと前記第２リンクとを連結するとともに、前記フレームに対する前記第２リンクの位置を調整及び保持する位置調整保持部と、
を備えるジブ。
【請求項２】
前記位置調整保持部は、
前記フレームと前記第２リンクとを連結するネジ機構を備える、
請求項１に記載のジブ。
【請求項３】
前記第２リンクは、ジブ横方向における前記フレームの両端部よりも内側に配置され、
前記ジブ横方向から見たとき、前記フレームに対する前記第２リンクの回転中心は、ジブ軸方向に延びる前記フレームの軸線に対してずれた位置に配置される、
請求項１または２に記載のジブ。
【請求項４】
前記フレームと前記第１リンクとを連結するとともに、前記フレームに対して前記第１リンクを保持する第１リンク保持部を備える、
請求項１〜３のいずれかに記載のジブ。
【発明の詳細な説明】
【技術分野】
【０００１】
本発明は、内抱きサポート式のジブに関する。
【背景技術】
【０００２】
従来より、ブームに対して起伏可能に、ブームに取り付けられるジブがある（例えば特許文献１など）。特許文献１に記載のジブは、内抱きサポート式のジブである。内抱きサポート式のジブには、ブームに対するジブの回転軸が２つある。回転軸の１つは、クレーン作業時の回転軸であるジブフットである（同文献のFIG.5の符号F-1,B-1参照）。もう１つの回転軸は、クレーンの組立分解時の回転軸であるサポート部である（同文献のFIG.6の符号F-2,B-2参照）。これにより、クレーン作業時にブームに生じる曲げモーメントを抑制し、かつ、クレーンの組立分解時に内抱き姿勢（倒伏させたブームの下にジブを配置した姿勢）をとることを可能にすることでクレーンの組立分解スペースを小さくすることを図っている。
【０００３】
この内抱きサポート式のジブは、ジブとブームとを連結するための内抱きリンク機構（関節機構）を備える（同文献のFIG.5〜7の符号47,49参照）。内抱きリンク機構は、ジブフットと同心の中心軸を中心に回転可能な第１リンク（同FIG.5の符号49参照）と、サポート部と同心の中心軸を中心に回転可能な第２リンク（同FIG.6及び7の符号47参照）と、を備える。
【先行技術文献】
【特許文献】
【０００４】
【特許文献１】特開昭６０−６１４９６号公報
【発明の概要】
【発明が解決しようとする課題】
【０００５】
内抱きサポート式のジブでは、第２リンクをブームに取り付けるために、第２リンク先端部とジブフットとの中心軸を合わせる必要がある（詳細は後述）。このとき、従来の内抱きサポート式のジブでは、補助クレーン等を用いて第２リンク先端部を動かす（上下させる）必要がある。そのため、第２リンクのブームへの組み立ての作業に手間がかかる問題がある。
【０００６】
そこで本発明は、サポート部と同心の中心軸を中心に回転可能なリンク（第２リンク）のブームへの組立作業を容易にできるジブを提供することを目的とする。
【課題を解決するための手段】
【０００７】
本発明のジブは、ジブフットおよびサポート部を中心に回転可能にブームに取り付けられる内抱きサポート式のジブである。前記ジブは、フレームと、前記ジブフットと同心の軸を中心に回転可能に前記フレームに連結されるとともに前記ブームに取り付け可能な第１リンクと、前記サポート部と同心の軸を中心に回転可能に前記フレームに連結されるとともに前記ブームに取り付け可能な第２リンクと、前記フレームと前記第２リンクとを連結するとともに、前記フレームに対する前記第２リンクの位置を調整及び保持する位置調整保持部と、を備える。
【発明の効果】
【０００８】
上記構成により、サポート部と同心の中心軸を中心に回転可能なリンク（第２リンク）のブームへの組立作業を容易にできる。
【図面の簡単な説明】
【０００９】
【図１】建設機械を横から見た図である。
【図２】図１に示すブーム先端部１０ｔ及び下部ジブ４０を示す図である。
【図３】図２に示す下部ジブ４０を示す図である。
【図４】図３のIV矢視図である。
【図５】図４のV断面図であり、内リンク５２の周辺を示す図である。
【図６】図５のVI断面図であり、位置調整保持部６０の断面図である。
【図７】（ａ）：図２に示すブーム先端部１０ｔに下部ジブ４０が取り付けられた状態を示す図である。（ｂ）：図７（ａ）に示す下部ジブ４０が反転した状態を示す図である。
【発明を実施するための形態】
【００１０】
図１〜図７（ｂ）を参照してクレーン１について説明する。
【００１１】
クレーン１は、図１に示すように、ブーム１０等を備える建設機械であり、例えば移動式クレーンである。クレーン１は、クレーン本体５と、ブーム１０と、ストラット２０と、ジブ３０と、を備える。
【００１２】
クレーン本体５は、下部本体５ａと、上部旋回体５ｂと、を備える。下部本体５ａは、例えば走行式（下部走行体）であり、例えばクローラ式である（ホイール式でもよい）。上部旋回体５ｂは、下部本体５ａに旋回可能に取り付けられる。
【００１３】
ブーム１０は、クレーン本体５に起伏可能に取り付けられる。ブーム１０は、例えば格子状構造などを備えた棒状構造物（ラチスブーム）である。例えば格子状構造などを備えた棒状構造物である点は、後述するストラット２０及びジブ３０も同様である。ここで、ブーム１０の軸方向をブーム軸方向Ｘｂとする。ブーム１０を倒伏させたとき（ブーム軸方向Ｘｂと地面Ｇとが平行（又はほぼ平行）のとき）のブーム１０の上下方向をブーム上下方向Ｙｂとする。ブーム上下方向Ｙｂにおける、ブーム１０の背面側をブーム背面側Ｙｂ１、ブーム１０の腹面側をブーム腹面側Ｙｂ２とする。また、ブーム１０の先端部をブーム先端部１０ｔとする。
【００１４】
ブーム先端部１０ｔは、内抱きサポート方式に対応可能である。図２に示すように、ブーム先端部１０ｔは、ブーム先端フレーム１１と、ブーム側ジブフット１５ｆと、ブーム側サポート部１５ｓと、内リンク取付ブラケット１７ｉと、外リンク取付ブラケット１７ｏと、を備える。
【００１５】
ブーム側ジブフット１５ｆ（ジブフット）及びブーム側サポート部１５ｓ（サポート部）は、ブーム先端フレーム１１に設けられる。ブーム側ジブフット１５ｆ及びブーム側サポート部１５ｓそれぞれは、例えばＵ字状溝である（円柱状部材でもよい）。ブーム側ジブフット１５ｆは、ブーム側サポート部１５ｓよりもブーム１０の中心軸に近い側（ブーム側サポート部１５ｓよりもブーム背面側Ｙｂ１）に配置される。
【００１６】
内リンク取付ブラケット１７ｉ及び外リンク取付ブラケット１７ｏは、ブーム先端フレーム１１に設けられ、ピン孔を備える。内リンク取付ブラケット１７ｉのピン孔は、ブーム側ジブフット１５ｆと同心（同軸）に配置される。外リンク取付ブラケット１７ｏのピン孔は、ブーム側サポート部１５ｓと同心に配置される。
【００１７】
ストラット２０は、図１に示すように、ワイヤロープ（図示なし）を介して、ブーム１０に対してジブ３０を起伏させる。ストラット２０は、ブーム先端部１０ｔに起伏可能に取り付けられる。ストラット２０は、フロントストラット及びリアストラットの２本設けられる。
【００１８】
ジブ３０は、ロープ及びフック（図示なし）を介して吊荷を吊る構造物である。ジブ３０は、ブーム先端部１０ｔに取り付けられる。ジブ３０は、ブーム１０に対して起伏可能なラッフィングジブである。ここで、ジブ３０の軸方向をジブ軸方向Ｘｊとする。ジブ軸方向Ｘｊにおける、ジブ３０の基端側をジブ基端側Ｘｊ１、ジブ３０の先端側をジブ先端側Ｘｊ２とする。ジブ３０を内抱き姿勢としたとき（倒伏させたブーム１０の下にジブ３０を配置したとき）のジブ３０の上下方向をジブ上下方向Ｙｊとする。ジブ上下方向Ｙｊにおける、ジブ３０の背面側（内抱き姿勢のジブ３０の下側）をジブ背面側Ｙｊ１、ジブ３０の腹面側をジブ腹面側Ｙｊ２とする。ジブ３０の横方向（ジブ軸方向Ｘｊ及びジブ上下方向Ｙｊに直交する方向）をジブ横方向Ｚｊとする。このジブ３０は、ジブ軸方向Ｘｊに分割可能である（複数の単位ジブを備える）。ジブ３０は、ジブ先端側Ｘｊ２からジブ基端側Ｘｊ１に順に、例えば、上部ジブ３１と、中間ジブ３３と、中間テーパジブ３５と、下部ジブ４０と、を備える。なお、ジブ３０の単位ジブの数は、上記のように４でもよく、また、１〜３又は５以上でもよい。
【００１９】
下部ジブ４０は、ジブ軸方向Ｘｊに分割可能なジブ３０の構成要素うち、最もジブ基端側Ｘｊ１の要素（単位ジブ）である。図４に示すように、下部ジブ４０は左右対称（ジブ横方向Ｚｊに対称）に構成される。図３に示すように、下部ジブ４０は、フレーム４１と、ローラ４４と、内抱きサポート機構４５ｆ，４５ｓ，５０と、位置調整保持部６０と、を備える。
【００２０】
フレーム４１は、下部ジブ４０の言わば本体部であり、三角柱状（略三角柱状）である。フレーム４１は、パイプ及び板等により構成される。フレーム４１は、主材４１ａと、連結材４１ｂと、板材４１ｃと、突出部４１ｄと、を備える。
【００２１】
主材４１ａは、ジブ軸方向Ｘｊから見たフレーム４１の四角形断面の四隅に配置され、４本設けられる。主材４１ａは、パイプである（パイプである点は、連結材４１ｂも同様）。ここで、フレーム４１の軸線であってジブ軸方向Ｘｊに延びる軸線を軸線Ａ４１とする。軸線Ａ４１は、４本の主材４１ａのジブ上下方向Ｙｊ及びジブ横方向Ｚｊそれぞれにおける中央をつないだ中心線である。
【００２２】
連結材４１ｂは、図４に示すように、主材４１ａどうしを連結する部材、及び、主材４１ａ同士を連結する部材どうしを連結する部材である。連結材４１ｂは複数本設けられる。例えば、連結材４１ｂには、ジブ上下方向Ｙｊに延びる縦材（図３参照）、及び、ジブ横方向Ｚｊに延びる横材がある。また、連結材４１ｂには、ジブ軸方向Ｘｊ、ジブ上下方向Ｙｊ、及びジブ横方向Ｚｊのうち少なくともいずれかに対して斜めに延びる斜材がある。
【００２３】
板材４１ｃは、主材４１ａに対してジブ側ジブフット４５ｆ（後述）を支持する板である。板材４１ｃは、合計４枚設けられる。２枚の板材４１ｃは、２本の主材４１ａと、１つのジブ側ジブフット４５ｆと、をジブ横方向Ｚｊから挟む。
【００２４】
突出部４１ｄは、図３に示すように、後述する内リンク基端部５２ｆが取り付けられる部分である。突出部４１ｄは、主材４１ａよりもジブ腹面側Ｙｊ２に突出する。図５に示すように、突出部４１ｄは、例えば連結材４１ｂに固定され、例えば板状である。
【００２５】
ローラ４４は、図７（ａ）及び図７（ｂ）に示す下部ジブ４０の反転を容易にする部材である。ローラ４４は、図３に示す下部ジブ４０のジブ先端側Ｘｊ２端部を地面Ｇ（図７（ａ）参照）に対して摺動自在にする。ローラ４４は、フレーム４１のジブ先端側Ｘｊ２端部に設けられ、４本の主材４１ａそれぞれの先端部に（合計４つ）設けられる。
【００２６】
内抱きサポート機構４５ｆ，４５ｓ，５０は、図１に示すブーム１０に対するジブ３０の起伏角度に応じて、ブーム１０に対するジブ３０の回転中心を変える機構（いわばジブ折畳み装置）である。図３に示す内抱きサポート機構４５ｆ，４５ｓ，５０には、ジブ側ジブフット４５ｆと、ジブ側サポート部４５ｓと、内抱きリンク機構５０と、がある。
【００２７】
ジブ側ジブフット４５ｆ（ジブフット）は、図１に示すクレーン１のクレーン作業時等の、ブーム１０に対するジブ３０の回転中心である。図２に示すように、ジブ側ジブフット４５ｆは、フレーム４１のジブ基端側Ｘｊ１端部に設けられる。ジブ側ジブフット４５ｆは、ブーム側ジブフット１５ｆに取付可能に構成される。具体的には、ジブ側ジブフット４５ｆは、Ｕ字状溝のブーム側ジブフット１５ｆに嵌まり込み可能な円柱状である。なお、ブーム側ジブフット１５ｆが円柱状の場合、ジブ側ジブフット４５ｆはＵ字状溝である。
【００２８】
ジブ側サポート部４５ｓ（サポート部）は、図１に示すようにジブ３０が内抱き姿勢の時などの、ブーム１０に対するジブ３０の回転中心である。図２に示すように、ジブ側サポート部４５ｓは、ジブ側ジブフット４５ｆよりもジブ先端側Ｘｊ２に配置される。ジブ側サポート部４５ｓは、ブーム側サポート部１５ｓに取付可能に構成される。具体的には、ジブ側サポート部４５ｓは、Ｕ字状溝のブーム側サポート部１５ｓに嵌まり込み可能な円柱状である。なお、ブーム側サポート部１５ｓが円柱状の場合、ジブ側サポート部４５ｓはＵ字状溝である。
【００２９】
内抱きリンク機構５０は、下部ジブ４０とブーム先端部１０ｔとを連結する機構である。内抱きリンク機構５０は、複数本のリンク部材（棒状部材、例えば板状部材）を備える。内抱きリンク機構５０は、外リンク５１（第１リンク）と、内リンク５２（第２リンク）と、を備える。
【００３０】
外リンク５１（第１リンク）は、図４に示すように、フレーム４１の主材４１ａよりもジブ横方向Ｚｊ外側（両側、２か所）に設けられる。図３に示す外リンク５１は、フレーム４１に回転可能に取り付けられる。外リンク５１は、外リンク基端部５１ｆと、外リンク先端部５１ｔと、を備える。なお、図４では、外リンク基端部５１ｆ及び外リンク先端部５１ｔについては、中心軸（ピン又はピン孔の中心軸）に符号を付している（後述する内リンク基端部５２ｆ及び内リンク先端部５２ｔについても同様）。
【００３１】
外リンク基端部５１ｆは、図３に示すフレーム４１に対する外リンク５１の回転中心であり、ジブ側ジブフット４５ｆと同心である。すなわち、外リンク５１は、ジブ側ジブフット４５ｆと同心の軸を中心に回転可能に、フレーム４１に連結される。
【００３２】
外リンク先端部５１ｔは、図７（ａ）に示すブーム１０に取り付け可能であり、ピン孔を備える。外リンク先端部５１ｔは、外リンク取付ブラケット１７ｏにピンを介して取り付けられる。
【００３３】
内リンク５２（第２リンク）は、図４に示すように、フレーム４１の主材４１ａよりもジブ横方向Ｚｊ内側（両側、２か所）に設けられる。１か所の内リンク５２は、例えば２枚の板材を備える。図５に示す内リンク５２は、フレーム４１に回転可能に取り付けられる。内リンク５２は、内リンク基端部５２ｆと、内リンク先端部５２ｔと、位置調整保持用ピン孔５２ｚと、を備える。
【００３４】
内リンク基端部５２ｆは、内リンク５２のフレーム４１に対する回転中心であり、図３に示すようにジブ側サポート部４５ｓと同心である。すなわち、内リンク５２は、ジブ側サポート部４５ｓと同心の軸を中心に回転可能に、フレーム４１に連結される。内リンク基端部５２ｆは、フレーム４１の連結材４１ｂ（図３及び図４参照）を配置しやすいように配置される。具体的には、ジブ横方向Ｚｊから見たとき、内リンク基端部５２ｆは、軸線Ａ４１に対してずれた位置に配置される（軸線Ａ４１からオフセットして配置される）。例えば、内リンク基端部５２ｆは、フレーム４１の主材４１ａよりもジブ腹面側Ｙｊ２に配置される。内リンク基端部５２ｆは、フレーム４１の突出部４１ｄに取り付けられる。
【００３５】
内リンク先端部５２ｔ（図３及び図５参照）は、図２に示すブーム１０に取り付け可能であり、ピン孔を備える。内リンク先端部５２ｔ（図３及び図５参照）は、内リンク取付ブラケット１７ｉに、内リンク取付ピンＰ１７ｉ（図４参照）を介して取り付けられる。
【００３６】
位置調整保持用ピン孔５２ｚは、図５に示すように、位置調整保持部６０の位置調整保持用ピン６７（後述）が差し込まれる孔である。
【００３７】
位置調整保持部６０は、フレーム４１に対する内リンク５２の位置を調整及び保持する部分（手段、部材、機構）である。位置調整保持部６０は、フレーム４１と内リンク５２とを連結する。図４に示すように、位置調整保持部６０は、内リンク５２のうち内リンク先端部５２ｔの近傍の部分と、フレーム４１のうちジブ側ジブフット４５ｆの近傍の部分と、を連結する。位置調整保持部６０は、ジブ横方向Ｚｊ両側の（２か所の）内リンク５２それぞれに連結される（合計２つ設けられる）。図５に示すように、位置調整保持部６０は、例えば、フレーム固定部材６１と、ネジ機構６３と、ロッド６５と、位置調整保持用ピン６７と、を備える。
【００３８】
フレーム固定部材６１は、図６に示すように、フレーム４１に固定される。フレーム固定部材６１は、フレーム４１の板材４１ｃに固定される（図４参照）。フレーム固定部材６１は、板材４１ｃから内リンク５２側（ジブ横方向Ｚｊ内側）に突出する。フレーム固定部材６１は、例えば板を組み合わせたもの等であり、例えば板を折り曲げたアングル部材６１ａと、アングル部材を補強する補強板６１ｂと、を備える。アングル部材６１ａは、板材４１ｃに固定される。
【００３９】
ネジ機構６３は、フレーム４１に対する内リンク５２の位置を調整及び保持する機構である。ネジ機構６３は、フレーム固定部材６１を介してフレーム４１に連結される。ネジ機構６３は、ロッド６５及び位置調整保持用ピン６７を介して内リンク５２に連結される。ネジ機構６３は、ボルト６３ｂとナット６３ｎとを備える。ボルト６３ｂは、フレーム固定部材６１を貫通し、ロッド６５に固定される。ナット６３ｎは、ボルト６３ｂに２つ取り付けられる。２つのナット６３ｎは、フレーム固定部材６１を挟む（固定する）。
【００４０】
ロッド６５は、ネジ機構６３と位置調整保持用ピン６７とを連結する。ロッド６５は、例えば、２枚の板６５ａ及び板６５ｂを組み合わせたものなどである。板６５ａは、ロッド側ピン孔６５ｚを備える。板６５ａは、内リンク５２を構成する２枚の板の間に配置される。板６５ｂには、ボルト６３ｂが固定される。
【００４１】
位置調整保持用ピン６７は、ロッド６５と内リンク５２とを連結する。位置調整保持用ピン６７は、ロッド６５のロッド側ピン孔６５ｚと、内リンク５２の位置調整保持用ピン孔５２ｚと、に差し込まれる。位置調整保持用ピン６７の軸方向は、内リンク５２のフレーム４１に対する回転を規制できるように、ジブ横方向Ｚｊに配置される。図５に示すように、位置調整保持用ピン６７は、内リンク取付ピンＰ１７ｉの抜け止めピンとしても用いられる。
【００４２】
外リンク保持部７０（第１リンク保持部）は、図３及び図４に示すように、フレーム４１と外リンク５１とを連結するとともに、フレーム４１に対して外リンク５１を保持する。外リンク保持部７０は、フレーム４１の側面（ジブ横方向Ｚｊ外側の面）と、外リンク先端部５１ｔのピン孔と、を連結する。外リンク保持部７０は、外リンク先端部５１ｔのピン孔に差し込み可能なピン等である。
【００４３】
（下部ジブ４０の輸送方法）
図３に示す下部ジブ４０は、次の［輸送方法ａ］及び［輸送方法ｂ］のように輸送される。
【００４４】
［輸送方法ａ］フレーム４１と内抱きリンク機構５０（内リンク５２及び外リンク５１）とを連結（合体）させた状態で、下部ジブ４０が輸送される。この輸送方法により、外リンク５１及び内リンク５２をフレーム４１に対して取り付け及び取り外しする作業を不要にできる。
【００４５】
［輸送方法ｂ］フレーム４１に対して外リンク５１及び内リンク５２が回転しないように、フレーム４１に対して外リンク５１及び内リンク５２が保持される。外リンク５１は、外リンク保持部７０によりフレーム４１に保持される。内リンク５２は、位置調整保持部６０によりフレーム４１に保持される。
【００４６】
（下部ジブ４０のブーム１０への取付方法）
下部ジブ４０のブーム１０（図２参照）への取付方法を工程順に説明する。この取付方法には、位置調整工程と、ジブフット差込工程と、内リンク連結工程と、外リンク連結工程と、下部ジブ反転工程と、その他の工程と、がある。なお、図１に示すように、ブーム１０は倒伏した状態である。
【００４７】
［位置調整工程］図３に示す位置調整保持部６０によりフレーム４１に対する内リンク５２の位置が調整される。さらに詳しくは、位置調整保持部６０により、内リンク先端部５２ｔのピン孔の中心軸とジブ側ジブフット４５ｆ（円柱状またはＵ字状溝）の中心軸とが一致するように（同心になるように）、内リンク５２の位置が調整及び保持される。具体的には、図６に示すボルト６３ｂに対するナット６３ｎの位置が調整されることで、図５に示す内リンク先端部５２ｔの位置が略ジブ上下方向Ｙｊに調整される。
【００４８】
［ジブフット差込工程］図２に示すように補助クレーンにより下部ジブ４０が吊り上げられ、ジブ側ジブフット４５ｆ（円柱状）が、ブーム側ジブフット１５ｆ（Ｕ字状溝）に取り付けられる（嵌め込まれる）。取付後の状態を図７（ａ）に示す。
【００４９】
上記ジブフット差込工程の結果、内リンク先端部５２ｔ（ピン孔）と、内リンク取付ブラケット１７ｉ（図２参照）のピン孔とは、同心となる（これらが同心となるように、上記位置調整工程が行われる）。なお、ジブフット差込工程を行った後に、位置調整工程が行われれてもよい。
【００５０】
［内リンク連結工程］図４に示すように、内リンク先端部５２ｔのピン孔と、内リンク取付ブラケット１７ｉ（図２参照）のピン孔とが、内リンク取付ピンＰ１７ｉを介して連結される。次に、図５に示す位置調整保持用ピン６７が、位置調整保持用ピン孔５２ｚから抜かれる。そして、抜かれた位置調整保持用ピン６７（図５において二点鎖線で示す）が、内リンク取付ピンＰ１７ｉの抜け止めピンとして用いられる。
【００５１】
［外リンク連結工程］図３に示す外リンク保持部７０（ピン）が外リンク５１から外される。次に、図７（ａ）に示すように、図示しない補助クレーンなどを用いて、外リンク５１（図３参照）が外リンク基端部５１ｆ（図３参照）を中心に回転される。次に、外リンク先端部５１ｔと外リンク取付ブラケット１７ｏとがピンを介して連結される。
【００５２】
［下部ジブ反転工程］図７（ａ）に示すように、ブーム１０の先端側に配置された下部ジブ４０が、図７（ｂ）に示すように、ブーム１０の基端側に反転される。このとき、ブーム１０に対する下部ジブ４０の回転軸は、ジブフット１５ｆ，４５ｆ（ブーム側ジブフット１５ｆ及びジブ側ジブフット４５ｆ）からサポート部１５ｓ，４５ｓ（ブーム側サポート部１５ｓ及びジブ側サポート部４５ｓ）に変わる。
【００５３】
［その他の工程］次に、図１に示すジブ３０が組み立てられる。具体的には、下部ジブ４０と、中間テーパジブ３５と、中間ジブ３３と、上部ジブ３１と、が連結される。次に、ブーム１０が起立させられる。次に、ストラット２０によりジブ３０が起こされる。このとき、ジブ３０のブーム１０に対する回転軸は、図７（ｂ）に示すサポート部１５ｓ，４５ｓから図７（ａ）に示すジブフット１５ｆ，４５ｆに変わる。そして、図１に示すクレーン１が（ジブ３０が）作業可能な状態となる。
【００５４】
（効果１）
次に、図３に示す下部ジブ４０（ジブ３０）による効果を説明する。下部ジブ４０は、図７（ａ）に示すジブフット１５ｆ，４５ｆおよび図７（ｂ）に示すサポート部１５ｓ，４５ｓを中心に回転可能にブーム１０に取り付けられる内抱きサポート式のジブである。図３に示すように、下部ジブ４０は、フレーム４１と、ジブ側ジブフット４５ｆと同心の軸を中心に回転可能にフレーム４１に連結されるとともにブーム１０（図２参照）に取り付け可能な外リンク５１（第１リンク）と、ジブ側サポート部４５ｓと同心の軸を中心に回転可能にフレーム４１に連結されるとともにブーム１０（図２参照）に取り付け可能な内リンク５２（第２リンク）と、図５に示す位置調整保持部６０と、を備える。
［構成１］位置調整保持部６０は、フレーム４１と内リンク５２とを連結するとともに、フレーム４１に対する内リンク５２の位置を調整及び保持する。
【００５５】
上記［構成１］では、位置調整保持部６０が、フレーム４１に対する内リンク５２の位置を調整及び保持する。よって、フレーム４１に対する内リンク５２の位置を調整及び保持するための補助クレーン等の手段が不要である。よって、内リンク５２（図３に示すジブ側サポート部４５ｓと同心の内リンク基端部５２ｆを中心に回転可能なリンク）のブーム１０（図２参照）への組立作業を容易にできる（組立性を向上できる）。
【００５６】
（効果２）
図５に示すように、位置調整保持部６０は、フレーム４１と内リンク５２とを連結するネジ機構６３を備える。
この構成では、フレーム４１に対する内リンク５２の位置の調整及び保持を、ネジ機構６３により容易かつ確実に行える。
【００５７】
（効果３）
図４に示すように、内リンク５２は、ジブ横方向Ｚｊにおけるフレーム４１の両端部よりも内側に配置される。図３に示すように、ジブ横方向Ｚｊから見たとき、フレーム４１に対する内リンク５２の回転中心（内リンク基端部５２ｆ）は、ジブ軸方向Ｘｊに延びるフレーム４１の軸線Ａ４１に対してずれた位置に配置される。
【００５８】
この構成により、フレーム４１の内側の部材（図４に示す主材４１ａの内側の連結材４１ｂ）と、図３に示す内リンク５２との干渉（干渉Ａとする）を抑制できる。
（効果３−１）よって、上記干渉Ａを避けるために内リンク５２を短くする必要がない。よって、内リンク５２の長さ（及び外リンク５１の長さ）を確保でき、ジブフット１５ｆ，４５ｆとサポート部１５ｓ，４５ｓとの距離を確保できるので、図２に示すブーム側ジブフット１５ｆをブーム１０の中心軸に近づけやすくなる。よって、ジブ３０からブーム１０に加えられる力によりブーム１０に生じる曲げモーメントを抑制できるので、ブーム１０の（クレーン１の）吊り上げ能力を向上させやすい。
（効果３−２）また、上記干渉Ａを抑制できるので、図４に示す内リンク５２による連結材４１ｂのレイアウト（配置や数）の制限を抑制できる。その結果、連結材４１ｂを適切に設けやすくなるので、下部ジブ４０の強度を確保しやすい。
【００５９】
（効果４）
下部ジブ４０は、フレーム４１と外リンク５１とを連結するとともに、フレーム４１に対して外リンク５１を保持する外リンク保持部７０（第１リンク保持部）を備える。
また、上記（効果１）に記載のように、内リンク５２は、位置調整保持部６０によりフレーム４１に対して保持される。すなわち、外リンク５１及び内リンク５２それぞれが、フレーム４１に対して保持されることが可能である。よって、外リンク５１及び内リンク５２をフレーム４１に連結させた状態（合体させた状態）で、下部ジブ４０を輸送しやすい。
【００６０】
（変形例）
上記実施形態は様々に変形できる。例えば、第１リンク（外リンク５１）は、フレーム４１の（主材４１ａの）ジブ横方向Ｚｊ内側に配置されてもよい。また例えば、第２リンク（内リンク５２）は、フレーム４１の（主材４１ａの）ジブ横方向Ｚｊ外側に配置されてもよい。
【符号の説明】
【００６１】
１０  ブーム
１５ｆ  ブーム側ジブフット（ジブフット）
１５ｓ  ブーム側サポート部（サポート部）
３０  ジブ
４１  フレーム
４５ｆ  ジブ側ジブフット（ジブフット）
４５ｓ  ジブ側サポート部（サポート部）
５１  外リンク（第１リンク）
５２  内リンク（第２リンク）
６０  位置調整保持部
６３  ネジ機構
７０  外リンク保持部（第１リンク保持部）
Ａ４１  軸線
【図１】
2014181094.tif 000003
【図２】
2014181094.tif 000004
【図３】
2014181094.tif 000005
【図４】
2014181094.tif 000006
【図５】
2014181094.tif 000007
【図６】
2014181094.tif 000008
【図７】
2014181094.tif 000009